(57)【要約】【課題】  静電気放電対策用の新たな部品を用いることなく、ドライバに伝搬する静電気放電ノイズを低減することができる表示装置を提供する。【解決手段】  第１接地配線２１は、フレキシブル回路基板１３の配列方向のドライバ１４の両側にそれぞれが形成され、ドライバ１４と第１共通電極電圧配線１５ａとの間の領域に、第１共通電極電圧配線１５ａに近接して平行に、プリント回路基板１２側から直線状に形成される。第２接地配線２２は、第１共通電極電圧配線１５ａとフレキシブル回路基板１３の周縁との間の領域、および第２共通電極電圧配線１５ｂと表示パネル１１の周縁との間の領域に形成され、共通電極電圧配線１５と近接して平行に形成される。第１接地配線２１および第２接地配線２２は、プリント回路基板１２に形成される接地電位部に電気的に接続される。【選択図】      図２
2012042764.tif 000002
【特許請求の範囲】
【請求項１】
複数の画素が形成される表示手段と、
表示手段の各画素を駆動する駆動手段と、
予め定める基準電圧が供給される基準電圧部が形成され、駆動手段を制御するプリント回路基板と、
中央部に駆動手段を搭載し、表示手段とプリント回路基板とを接続する可撓性のあるフレキシブル回路基板であって、プリント回路基板から表示手段まで前記各画素へ共通に印加する共通電圧を供給するための第１共通電圧配線部と、基準電圧部に電気的に接続され、駆動手段と第１共通電圧配線部との間の領域に延在する基準電圧配線部とが形成されるフレキシブル回路基板とを含むことを特徴とする表示装置。
【請求項２】
前記表示手段は、前記各画素に共通電圧を供給するための共通電極、共通電極と前記第１共通電圧配線部とを電気的に接続する第２共通電圧配線部、および第２共通電圧配線部に近接して延在する第１近接配線部が形成され、
前記フレキシブル回路基板は、前記基準電圧部と第１近接配線部とを電気的に接続し、前記第１共通電圧配線部に近接して延在する第２近接配線部が形成されることを特徴とする請求項１に記載の表示装置。
【請求項３】
複数の画素が形成される表示手段と、
表示手段の各画素を駆動する駆動手段と、
予め定める基準電圧が供給される基準電圧部が形成され、駆動手段を制御するプリント回路基板と、
中央部に駆動手段を搭載し、表示手段とプリント回路基板とを接続する可撓性のあるフレキシブル回路基板であって、プリント回路基板から表示手段まで前記各画素へ共通に印加する共通電圧を供給する第１共通電圧配線部が形成されるフレキシブル回路基板とを含み、
表示手段は、各画素に共通電圧を供給するための共通電極、共通電極と第１共通電圧配線部とを電気的に接続する第２共通電圧配線部、および第２共通電圧配線部に近接して延在する第１近接配線部が形成され、
フレキシブル回路基板は、基準電圧部と第１近接配線部とを電気的に接続し、第１共通電圧配線部に近接して延在する第２近接配線部が形成されることを特徴とする記載の表示装置。
【請求項４】
前記フレキシブル回路基板は、前記駆動手段と前記基準電圧部とを電気的に接続する駆動基準電圧配線部が形成され、
前記基準電圧配線部は、駆動基準電圧配線部と離間して形成されることを特徴とする請求項１〜３のいずれか１つに記載の表示装置。
【請求項５】
前記予め定める基準電圧は、接地電位であることを特徴とする請求項１〜３のいずれか１つに記載の表示装置。
【発明の詳細な説明】
【技術分野】
【０００１】
本発明は、静電気放電の影響を受ける表示装置に関する。
【背景技術】
【０００２】
表示装置は、液晶ドライバ集積回路（Integrated Circuit：略称「ＩＣ」、以下「ドライバ」という）を用いて表示パネルに画像を表示する。ドライバは、表示パネルの各画素に対して、表示すべき色の階調値を制御する電圧信号を供給することによって各画素を駆動する。ドライバの実装方法として、システムオン（System On Film：略称「ＳＯＦ」）実装がある。ＳＯＦ実装では、ドライバをフレキシブル回路基板に実装し、このフレキシブル回路基板を表示パネルに接続する。
【０００３】
静電気によって帯電した人体あるいは物体が表示装置に接近または接触したとき、静電気放電（Electro−Static Discharge：略称「ＥＳＤ」）が発生することがある。表示装置に実装されているドライバは、ＥＳＤによって生じる高電圧によって損傷し、一時的な誤動作あるいは恒久的な故障が発生する恐れがある。
【０００４】
ＥＳＤ耐性を評価する試験は、製品開発の過程において、製品の試作後に実施されるので、ＥＳＤ耐性に問題があると判定された場合、開発の手戻りあるいは部品の追加対策などによるコストの増加が発生する。製造メーカは、製品のＥＳＤ耐性を強化するために、製品に対して様々なＥＳＤ対策を講じている。
【０００５】
第１の従来の技術として、特許文献１に記載される表示装置がある。この表示装置は、静電気を吸収する吸収体をソースドライバの近傍に設けている。ＥＳＤノイズが表示パネル側から侵入してきたときでも、吸収体によって静電気を吸収することで、ソースドライバへ伝搬するＥＳＤノイズを低減し、ソースドライバでの異常の発生を防止しようとするものである。
【０００６】
第２の従来の技術として、特許文献２に記載される電気光学装置がある。この電気光学装置は、第１の基板に設けられる共通電極と、第１の基板の張り出し領域に搭載されるドライバＩＣの出力側の共通電位用端子とを電気的に接続する配線に近接して、接地用端子と電気的に接続される配線が設けられる。接地用端子は、導電部材を介して、第２基板に設けられる導電層に電気的に接続されるとともに、グランド配線にも接続される。この電気光学装置は、共通電極と電気的に接続される配線が、ドライバＩＣの出力側の共通電位用端子と接続されているが、表示パネルから侵入するＥＳＤノイズを、導電層、接地用端子およびグランド配線を介して外部に逃すことによって、ドライバＩＣに対するＥＳＤノイズの影響を低減するものである。
【０００７】
第３の従来の技術として、特許文献３に記載される液晶表示装置がある。この液晶表示装置は、駆動用ＩＣが搭載されるフレキシブル基板と、そのフレキシブル基板に接続される下側ガラス基板とを含み、下側ガラス基板に設けられる信号線接続端子と断線レスキュー端子との間に、フォローティング状態のダミー端子が設けられる。ダミー端子を設けたことによって、信号線接続端子と断線レスキュー端子との距離が長くなり、さらに、駆動用ＩＣに接続されていない断線レスキュー端子が、駆動用ＩＣに接続された信号線接続端子と断線レスキュー端子との間における液晶パネル内にチャージされた電荷の放電現象を防ぐので、駆動用ＩＣの破壊を防止することができる。
【先行技術文献】
【特許文献】
【０００８】
【特許文献１】特開２０１０−６０８８１号公報
【特許文献２】特開２００９−２０２７２号公報
【特許文献３】特開平９−５７８１号公報
【発明の概要】
【発明が解決しようとする課題】
【０００９】
しかしながら、第１の従来の技術は、ソースドライバの近傍に静電気を吸収する吸収体を設ける構成であるので、吸収体を設ける分だけ原価が高くなり、また、吸収体を取り付ける必要があり、作業が複雑化し、製造コストも増大する。
【００１０】
第２の従来の技術は、第１の従来の技術が吸収体を設ける構成であるのと同様に、導電層を設ける構成であり、導電層を設ける分だけ原価が高くなり、また、導電層を取り付ける必要があり、作業が複雑化し、製造コストも増大する。
【００１１】
第３の従来の技術は、信号線接続端子と断線レスキュー端子との間における電荷の放電現象を防止するものであり、共通電位の配線に混入したＥＳＤノイズの駆動用ＩＣへの影響を低減することはできない。
【００１２】
本発明の目的は、静電気放電対策用の新たな部品を用いることなく、画素を駆動するドライバに伝搬する静電気放電ノイズを低減することができる表示装置を提供することである。
【課題を解決するための手段】
【００１３】
本発明は、複数の画素が形成される表示手段と、
表示手段の各画素を駆動する駆動手段と、
予め定める基準電圧が供給される基準電圧部が形成され、駆動手段を制御するプリント回路基板と、
中央部に駆動手段を搭載し、表示手段とプリント回路基板とを接続する可撓性のあるフレキシブル回路基板であって、プリント回路基板から表示手段まで前記各画素へ共通に印加する共通電圧を供給するための第１共通電圧配線部と、基準電圧部に電気的に接続され、駆動手段と第１共通電圧配線部との間の領域に延在する基準電圧配線部とが形成されるフレキシブル回路基板とを含むことを特徴とする表示装置である。
【００１４】
また本発明は、前記表示手段は、前記各画素に共通電圧を供給するための共通電極、共通電極と前記第１共通電圧配線部とを電気的に接続する第２共通電圧配線部、および第２共通電圧配線部に近接して延在する第１近接配線部が形成され、
前記フレキシブル回路基板は、前記基準電圧部と第１近接配線部とを電気的に接続し、前記第１共通電圧配線部に近接して延在する第２近接配線部が形成されることを特徴とする。
【００１５】
また本発明は、複数の画素が形成される表示手段と、
表示手段の各画素を駆動する駆動手段と、
予め定める基準電圧が供給される基準電圧部が形成され、駆動手段を制御するプリント回路基板と、
中央部に駆動手段を搭載し、表示手段とプリント回路基板とを接続する可撓性のあるフレキシブル回路基板であって、プリント回路基板から表示手段まで前記各画素へ共通に印加する共通電圧を供給する第１共通電圧配線部が形成されるフレキシブル回路基板とを含み、
表示手段は、各画素に共通電圧を供給するための共通電極、共通電極と第１共通電圧配線部とを電気的に接続する第２共通電圧配線部、および第２共通電圧配線部に近接して延在する第１近接配線部が形成され、
フレキシブル回路基板は、基準電圧部と第１近接配線部とを電気的に接続し、第１共通電圧配線部に近接して延在する第２近接配線部が形成されることを特徴とする記載の表示装置である。
【００１６】
また本発明は、前記フレキシブル回路基板は、前記駆動手段と前記基準電圧部とを電気的に接続する駆動基準電圧配線部が形成され、
前記基準電圧配線部は、駆動基準電圧配線部と離間して形成されることを特徴とする。
また本発明は、前記予め定める基準電圧は、接地電位であることを特徴とする。
【発明の効果】
【００１７】
本発明によれば、表示手段は、複数の画素が形成される。駆動手段は、表示手段の各画素を駆動する。予め定める基準電圧が供給される基準電圧部が形成されるプリント回路基板は、駆動手段を制御する。そして、中央部に駆動手段を搭載し、表示手段とプリント回路基板とを接続する可撓性のあるフレキシブル回路基板は、プリント回路基板から表示手段まで前記各画素へ共通に印加する共通電圧を供給するための第１共通電圧配線部と、基準電圧部に電気的に接続され、駆動手段と第１共通電圧配線部との間の領域に延在する基準電圧配線部とが形成される。したがって、第１共通電圧配線部に近接して配置される基準電圧配線部が、第１共通電圧配線部に混入した静電気放電ノイズを基準電圧部に逃すので、静電気放電対策用の新たな部品を用いることなく、画素を駆動する駆動手段であるドライバに伝搬する静電気放電ノイズを低減することができる。
【００１８】
また本発明によれば、前記表示手段は、前記各画素に共通電圧を供給するための共通電極、共通電極と前記第１共通電圧配線部とを電気的に接続する第２共通電圧配線部、および第２共通電圧配線部に近接して延在する第１近接配線部が形成される。そして、前記フレキシブル回路基板は、前記基準電圧部と第１近接配線部とを電気的に接続し、前記第１共通電圧配線部に近接して延在する第２近接配線部が形成される。したがって、基準電圧配線部に加えて、第１共通電圧配線部に近接して配置される第２近接配線部、および第２共通電圧配線部に近接して配置される第１近接配線部が、第１共通電圧配線部および第２共通電圧配線部に混入した静電気放電ノイズを基準電圧部に逃すので、静電気放電対策用の新たな部品を用いることなく、画素を駆動する駆動手段であるドライバに伝搬する静電気放電ノイズをさらに低減することができる。
【００１９】
また本発明によれば、表示手段は、複数の画素が形成される。駆動手段は、表示手段の各画素を駆動する。予め定める基準電圧が供給される基準電圧部が形成されるプリント回路基板は、駆動手段を制御する。中央部に駆動手段を搭載し、表示手段とプリント回路基板とを接続する可撓性のあるフレキシブル回路基板は、プリント回路基板から表示手段まで前記各画素へ共通に印加する共通電圧を供給する第１共通電圧配線部が形成される。さらに、表示手段は、各画素に共通電圧を供給するための共通電極、共通電極と第１共通電圧配線部とを電気的に接続する第２共通電圧配線部、および第２共通電圧配線部に近接して延在する第１近接配線部が形成される。そして、フレキシブル回路基板は、基準電圧部と第１近接配線部とを電気的に接続し、第１共通電圧配線部に近接して延在する第２近接配線部が形成される。したがって、第１共通電圧配線部に近接して配置される第２近接配線部、および第２共通電圧配線部に近接して配置される第１近接配線部が、第１共通電圧配線部および第２共通電圧配線部に混入した静電気放電ノイズを基準電圧部に逃すので、静電気放電対策用の新たな部品を用いることなく、画素を駆動する駆動手段であるドライバに伝搬する静電気放電ノイズを低減することができる。
【００２０】
また本発明によれば、前記フレキシブル回路基板は、前記駆動手段と前記基準電圧部とを電気的に接続する駆動基準電圧配線部が形成される。そして、前記基準電圧配線部は、駆動基準電圧配線部と離間して形成される。したがって、駆動基準電圧配線部は、第１共通電圧配線部に流れる静電気放電ノイズに起因する電流の変化の影響を受けることを低減することができる。
【００２１】
また本発明によれば、前記予め定める基準電圧は、接地電位であるので、第１共通電圧配線部または第２共通電圧配線部に混入した静電気放電ノイズを接地電位のアースなどに逃すことができる。
【図面の簡単な説明】
【００２２】
【図１】本発明の一実施形態である表示装置１の全体の構成を模式的に示す図である。
【図２】表示装置１の一部１ａを拡大して模式的に示す図である。
【図３】表示装置１の一部１ｂを拡大した図である。
【図４】表示装置１の一部１ｂを切断面線ＩＶ−ＩＶで切断した断面図である。
【図５】表示装置１の一部１ｂを切断面線Ｖ−Ｖで切断した断面図である。
【図６】表示装置１の一部１ｂを切断面線ＶＩ−ＶＩで切断した断面図である。
【図７】従来の技術による表示装置９０の一部を拡大した図である。
【図８】表示装置１のＥＳＤノイズによるフレキシブル回路基板１３上の電力強度分布の一例を示す図である。
【図９】表示装置９０のＥＳＤノイズによるフレキシブル回路基板１３上の電力強度分布の一例を示す図である。
【図１０】ドライバ１４の接続端子１７における電圧値の時間変化の一例を示すグラフである。
【図１１】本発明の他の実施形態である表示装置１０１の一部を拡大した図である。
【図１２】本発明のさらに他の実施形態である表示装置１０２の一部を拡大した図である。
【発明を実施するための形態】
【００２３】
図１は、本発明の一実施形態である表示装置１の全体の構成を模式的に示す図である。表示装置１は、たとえば液晶表示装置によって構成され、表示パネル１１、プリント回路基板１２およびフレキシブル回路基板１３を含んで構成される。
【００２４】
表示手段である表示パネル１１は、たとえば液晶パネルによって構成され、複数の画素が形成されている。表示パネル１１は、共通電極側ガラス１１１および画素電極側ガラス１１２を含んで構成される。共通電極側ガラス１１１は、表示パネル１１の正面側に設けられる透明の板状の矩形形状のガラスである。画素電極側ガラス１１２は、表示パネル１１の背面側に設けられる透明の板状の矩形形状のガラスである。共通電極側ガラス１１１と画素電極側ガラス１１２とは対向して配置され、共通電極側ガラス１１１と画素電極側ガラス１１２との間隙に液晶が密封される。画素電極側ガラス１１２は、プリント回路基板１２側の一端部が、共通電極側ガラス１１１のプリント回路基板１２側の周縁よりも張り出している。
【００２５】
プリント回路基板１２は、矩形形状の可撓性のない基板であり、後述するドライバ１４の駆動制御を行う駆動制御回路が搭載される。図１に示した表示装置１は、２つのプリント回路基板１２を含んで構成されるが、プリント回路基板１２の数は増減可能である。画素電極側ガラス１１２とプリント回路基板１２とは、画素電極側ガラス１１２の一端部の周縁と、該周縁に対向するプリント回路基板１２の一端部の周縁とが、離間して平行に配置される。
【００２６】
フレキシブル回路基板１３は、矩形形状の可撓性のある基板であり、後述するドライバ１４が搭載される。図１に示した表示装置１は、８つのフレキシブル回路基板１３を含んで構成されるが、フレキシブル回路基板１３の数は増減可能である。８つのフレキシブル回路基板１３は、画素電極側ガラス１１２の一端部とプリント回路基板１２の一端部との間に、画素電極側ガラス１１２の一端部の周縁およびプリント回路基板１２の一端部の周縁に沿って、相互に間隔をあけて配列される。各フレキシブル回路基板１３の一端部は、画素電極側ガラス１１２の一端部に固定され、各フレキシブル回路基板１３の他端部は、プリント回路基板１２の一端部に固定され、フレキシブル回路基板１３は、それぞれ画素電極側ガラス１１２の一端部とプリント回路基板１２の一端部とを接続する。図１に示した例では、互いに隣接する４つのフレキシブル回路基板１３が１つのプリント回路基板１２と接続され、互いに隣接する残る４つのフレキシブル回路基板１３が残る１つのプリント回路基板１２と接続される。
【００２７】
図２は、表示装置１の一部１ａを拡大して模式的に示す図である。各フレキシブル回路基板１３は、中央部にドライバ１４を搭載する。駆動手段であるドライバ１４は、表示パネル１１に形成される複数の画素を駆動する。
【００２８】
フレキシブル回路基板１３は、各フレキシブル回路基板１３が配列される配列方向（以下「Ｘ方向」という）の両端付近に、第１共通電極電圧配線１５ａが形成される。第１共通電圧配線部である第１共通電極電圧配線１５ａは、各画素へ共通に印加する共通電圧を供給するための配線であり、導電性の部材によって構成される。第１共通電極電圧配線１５ａは、プリント回路基板１２側から表示パネル１１側まで、フレキシブル回路基板１３の周縁のうちＸ方向と直交する方向（以下「Ｙ方向」という）の周縁に沿って、直線状に配線される。
【００２９】
フレキシブル回路基板１３には、第１接地配線２１および第１隣接配線２２ａが形成される。第１接地配線２１は、ドライバ１４のＸ方向の両側にそれぞれ形成される。ドライバ１４のＸ方向の右側（以下単に「ドライバ１４の右側」という）に形成される第１接地配線２１は、ドライバ１４とドライバ１４の右側に形成される第１共通電極電圧配線１５ａとの間の領域に、ドライバ１４の右側に形成される第１共通電極電圧配線１５ａに近接して平行に直線状に配線される。ドライバ１４の右側に形成される第１接地配線２１は、ドライバ１４およびドライバ１４の右側に形成される第１共通電極電圧配線１５ａと、それぞれ離間して設けられる。
【００３０】
同様に、ドライバ１４のＸ方向の左側（以下単に「ドライバ１４の左側」という）に形成される第１接地配線２１は、ドライバ１４とドライバ１４の左側に形成される第１共通電極電圧配線１５ａとの間の領域に、ドライバ１４の左側に形成される第１共通電極電圧配線１５ａに近接して平行に直線状に配線される。ドライバ１４の左側に形成される第１接地配線２１は、ドライバ１４およびドライバ１４の左側に形成される第１共通電極電圧配線１５ａと、それぞれ離間して設けられる。
【００３１】
第２近接配線部である第１隣接配線２２ａは、ドライバ１４のＸ方向の両側にそれぞれ形成される。ドライバ１４の右側に形成される第１隣接配線２２ａは、フレキシブル回路基板１３のＸ方向の両端部のうちドライバ１４の右側の端部に、ドライバ１４の右側にある第１共通電極電圧配線１５ａとドライバ１４の右側の端部の周縁との間の領域に、プリント回路基板１２側から表示パネル１１側まで、第１共通電極電圧配線１５ａに近接して平行に直線状に延在する。ドライバ１４の右側に形成される第１隣接配線２２ａは、ドライバ１４の右側に形成される第１共通電極電圧配線１５ａと離間して設けられる。
【００３２】
同様に、ドライバ１４の左側に形成される第１隣接配線２２ａは、フレキシブル回路基板１３のＸ方向の両端部のうちドライバ１４の左側の端部に、ドライバ１４の左側にある第１共通電極電圧配線１５ａとドライバ１４の左側の端部の周縁との間の領域に、プリント回路基板１２側から表示パネル１１側まで、ドライバ１４の左側にある第１共通電極電圧配線１５ａに近接して平行に直線状に延在する。ドライバ１４の左側に形成される第１隣接配線２２ａは、ドライバ１４の左側に形成される第１共通電極電圧配線１５ａと離間して設けられる。
【００３３】
基準電圧配線部である第１接地配線２１、および第１隣接配線２２ａは、第１共通電極電圧配線１５ａに用いられる部材と同じ導電性の部材によって構成される。第１接地配線２１および第１隣接配線２２ａは、プリント回路基板１２に形成される後述する接地電位部に電気的に接続される。
【００３４】
表示パネル１１の端部のうちプリント回路基板１２側の一端部には、第２共通電極電圧配線１５ｂおよび第２隣接配線２２ｂが形成される。第２共通電圧配線部である第２共通電極電圧配線１５ｂは、表示パネル１１に、該一端部の周縁に沿って平行に直線状に設けられる。そして、第２共通電極電圧配線１５ｂの一端部は、互いに隣接する２つのフレキシブル回路基板１３のうち、Ｘ方向左側のフレキシブル回路基板１３のドライバ１４の右側の第１共通電極電圧配線１５ａの端部のうち表示パネル１１側の端部と電気的に接続される。そして、第２共通電極電圧配線１５ｂの他端部は、Ｘ方向右側のフレキシブル回路基板１３のドライバ１４の左側の第１共通電極電圧配線１５ａの端部のうち表示パネル１１側の端部と電気的に接続される。第２共通電極電圧配線１５ｂは、第１共通電極電圧配線１５ａに用いられる部材と同じ導電性の部材によって構成される。第２共通電極電圧配線１５ｂは、表示パネル１１に含まれる画素電極側ガラス１１２上に形成される。
【００３５】
第１近接配線部である第２隣接配線２２ｂは、第２共通電極電圧配線１５ｂと、表示パネル１１の前記一端部の周縁との間の領域に、該一端部の周縁に沿って平行に、第２共通電極電圧配線１５ｂに近接して直線状に延在する。そして、第２隣接配線２２ｂは、互いに隣接する２つのフレキシブル回路基板１３のうち、Ｘ方向左側のフレキシブル回路基板１３のドライバ１４の右側の第１隣接配線２２ａの端部のうち表示パネル１１側の端部と、Ｘ方向右側のフレキシブル回路基板１３のドライバ１４の左側の第１隣接配線２２ａの端部のうち表示パネル１１側の端部とを電気的に接続する。第２隣接配線２２ｂは、表示パネル１１に含まれる画素電極側ガラス１１２上に形成される。
【００３６】
共通電極電圧配線１５は、第１共通電極電圧配線１５ａと第２共通電極電圧配線１５ｂとから構成される。第２接地配線２２は、第１隣接配線２２ａと第２隣接配線２２ｂとから構成される。
【００３７】
図３は、表示装置１の一部１ｂを拡大した図である。図４は、表示装置１の一部１ｂを切断面線ＩＶ−ＩＶで切断した断面図である。図５は、表示装置１の一部１ｂを切断面線Ｖ−Ｖで切断した断面図である。図６は、表示装置１の一部１ｂを切断面線ＶＩ−ＶＩで切断した断面図である。
【００３８】
図２および図３では、わかり易くするために、ドライバ１４、第１共通電極電圧配線１５ａ、第１接地配線２１、第１隣接配線２２ａ、駆動配線１６、接続端子１７およびプリント基板接続配線１８を、フレキシブル回路基板１３の前面側にあるように記載したが、実際は、図４〜図６に示すように、フレキシブル回路基板１３の背面側に実装される。
【００３９】
画素電極側ガラス１１２とフレキシブル回路基板１３とは、互いに一部が重なるように配置され、画素電極側ガラス１１２に形成される配線とフレキシブル回路基板１３に形成される配線とは、その重なり部分で電気的に接続される。また、プリント回路基板１２とフレキシブル回路基板１３とは、互いに一部が重なるように配置され、プリント回路基板１２に形成される配線とフレキシブル回路基板１３に形成される配線とは、その重なり部分で電気的に接続される。
【００４０】
共通電極側ガラス１１１には、画素電極側ガラス１１２と対向する側に共通電極１１３が形成される。画素電極側ガラス１１２は、共通電極側ガラス１１１と対向する側に画素電極１１４が形成される。共通電極１１３は、表示パネル１１に形成される複数の画素に共通に印加される共通電圧を供給するための電極である。画素電極１１４は、画素ごとに個別に印加される電圧を供給するための電極である。各画素は、共通電極１１３と画素電極１１４との間に形成される。共通電極１１３と画素電極１１４とに対して、それぞれの電圧が印加されることによって、画像が表示される。
【００４１】
フレキシブル回路基板１３および画素電極側ガラス１１２には、ドライバ１４と各画素電極１１４とを電気的に接続する駆動配線１６が形成される。駆動配線１６は、導電性の部材によって構成され、画素電極側ガラス１１２上およびフレキシブル回路基板１３上に配線される。ドライバ１４は、複数の接続端子１７を含む。複数の接続端子１７には、プリント基板接続配線１８が電気的に接続される。プリント基板接続配線１８は、プリント回路基板１２から電源を供給する電源配線、プリント回路基板１２から接地電位を供給するプリント接地配線、およびプリント回路基板１２から電気信号を供給する信号配線を含む。信号配線は、プリント回路基板１２に形成される図示しない駆動制御回路に電気的に接続される。プリント接地配線は、駆動基準電圧配線部である。
【００４２】
共通電極側ガラス１１１には、導通部１９が形成される。導通部１９は、共通電極１１３と第２共通電極電圧配線１５ｂを電気的に接続する接続部分である。第２共通電極電圧配線１５ｂおよび第２隣接配線２２ｂは、表示パネル２に含まれる画素電極側ガラス１１２上に形成される。
【００４３】
プリント回路基板１２には、さらに、図示しない共通電圧部および図示しない接地電位部が形成される。図示しない共通電圧部は、図示しない電源に電気的に接続され、電源から共通電圧が供給される。基準電圧部である図示しない接地電位部は、表示装置１の匡体などのアース部に電気的に接続され、アース部からの接地電位が供給される。図示しない共通電圧部は、第１共通電極電圧配線１５ａの端部のうちプリント回路基板１２側の端部と電気的に接続され、第１共通電極電圧配線１５ａ、第２共通電極電圧配線１５ｂおよび導通部１９を介して、共通電極１１３に共通電圧を供給する。図示しない接地電位部は、第１接地配線２１ａの端部のうちプリント回路基板１２側の端部、および第１隣接配線２２ａの端部のうちプリント回路基板１２側の端部と電気的に接続される。
【００４４】
図４を参照して、寸法Ｌ１は、ドライバ１４のＸ方向の寸法であり、たとえば１７．４ｍｍである。寸法Ｌ２は、第１共通電極電圧配線１５ａのＸ方向のパターン幅であり、たとえば４ｍｍである。寸法Ｌ３は、第１接地配線２１のＸ方向のパターン幅であり、たとえば０．５ｍｍである。寸法Ｌ４は、第１隣接配線２２ａのＸ方向のパターン幅であり、たとえば０．５ｍｍである。寸法Ｌ５は、ドライバ１４と第１接地配線２１とのＸ方向の間隔、第１接地配線２１と第１共通電極電圧配線１５ａとのＸ方向の間隔、および、第１共通電極電圧配線１５ａと第１隣接配線２２ａとのＸ方向の間隔であり、たとえば０．５ｍｍである。プリント接地配線と第１接地配線２１との間隔は、プリント基板接続配線１８の間隔よりも大きい。第１接地配線２１は、プリント接地配線と離間して形成される。
【００４５】
表示パネル１１を表示面側から支持する図示しないベゼルに対して、表示装置１の外部の至近距離に、人体やその他の静電気帯電物が接近または接触したとき、静電気放電（
Electro−Static Discharge：略称「ＥＳＤ」）ノイズは、ベゼルと表示パネル１１の共通電極側ガラス１１１との隙間から表示装置１内部へと伝搬する。表示装置１内部を伝搬するＥＳＤノイズは、主に、ベゼルと図示しない導電材料、たとえばＩＴＯ（Indium-Tin Oxide）とで形成される表示パネル１１全面に広がっている共通電極１１３との間を伝搬する。ここで、共通電極１１３は、表示パネル１１上の第２共通電極電圧配線１５ｂ、および、フレキシブル回路基板１３上の第１共通電極電圧配線１５ａと電気的に接続されている。共通電極１１３に伝搬するＥＳＤノイズは、電気的に接続されている表示パネル１１上の第２共通電極電圧配線１５ｂへと伝搬する。表示パネル１１上の第２共通電極電圧配線１５ｂを伝搬するＥＳＤノイズは、フレキシブル回路基板１３上の第１共通電極電圧配線１５ａへと伝搬していく。第１接地配線２１および第２接地配線２２のいずれもない場合、フレキシブル回路基板１３上の第１共通電極電圧配線１１ａへと伝搬したＥＳＤノイズは、フレキシブル回路基板１３上のドライバ１４へと混入し、不具合や故障を引き起こす原因となる。
【００４６】
表示装置１では、フレキシブル回路基板１３内において、第１接地配線２１がドライバ１４と共通電極電圧配線１５との間の領域に配置されているので、共通電極電圧配線１５からドライバ１４へと直接伝搬するＥＳＤノイズを第１接地配線２１によって吸収することができる。また、第２接地配線２２が共通電極電圧配線１５とフレキシブル回路基板１３の端部との間の領域に配置されているので、共通電極電圧配線１５と接地のための配線（以下「接地配線」という）とが並走する距離が増える。したがって、共通電極電圧配線１５を伝搬するＥＳＤノイズをより接地配線へ逃がすことができ、共通電極電圧配線１５を伝搬するＥＳＤノイズを低減することができる。その結果、フレキシブル回路基板１３内で共通電極電圧配線１５から、ドライバ１４へと伝搬するＥＳＤノイズを低減することになり、ドライバ１４の誤動作または故障を少なくすることができる。また、第１接地配線２１と、ドライバ１４に電気的に接続されているプリント回路基板１２の接地電位をもつ接地電位部がフレキシブル回路基板１３内で電気的に接続されている場合に比べて、第１接地配線２１と、ドライバ１４に電気的に接続されているプリント回路基板１２の接地電位部との間のインピーダンスを高くすることができる。共通電極電圧配線１５から第１接地配線２１に伝搬するＥＳＤノイズがドライバ１４へと伝搬することをより低減することが可能である。
【００４７】
図７は、従来の技術による表示装置９０の一部を拡大した図である。表示装置９０は、図２に示した表示装置１から、第１接地配線２１および第２接地配線２２を除いた構成である。表示装置９０の構成要素のうち、図２に示した表示装置１の構成要素と同じものについては、同じ参照符を付して、重複を避けるために説明は省略する。共通電極電圧配線９５は、図２に示した共通電極電圧配線１５に相当するものであるが、共通電極電圧配線９５の幅が、表示パネル１１の一端部の周縁まで幅方向に広げられている。
【００４８】
図８は、表示装置１のＥＳＤノイズによるフレキシブル回路基板１３上の電力強度分布の一例を示す図である。図９は、表示装置９０のＥＳＤノイズによるフレキシブル回路基板１３上の電力強度分布の一例を示す図である。これらの電力強度分布は、表示パネル１１からＥＳＤノイズを混入させ、フレキシブル回路基板１３内でＥＳＤノイズによるエネルギーが最大になる時間におけるエネルギー分布を、従来技術による電磁界解析によって計算した計算結果を示す。
【００４９】
ドライバ１４は、図８および図９の破線で囲まれた領域に配置されている。共通電極電圧配線１５，９５は、ドライバ１４の両端部から上方に伸び、さらに左右に延在している明るい部分の領域に配置されている。ドライバ１４の中央部から上方に伸びている白色の領域は、駆動配線によるエネルギー分布を示す。
【００５０】
図８に示した表示装置１のドライバ１４の領域は、図９に示した表示装置９０のドライバ１４の領域よりも、暗くなっており、ＥＳＤノイズによるエネルギーが低くなっていることを示している。したがって、表示装置１は、表示装置９０に比べて、表示パネル１１からドライバ１４に伝搬するＥＳＤノイズが低減されている。すなわち、表示装置１は、第１接地配線２１および第２接地配線２２を設けることによって、フレキシブル回路基板１３内のドライバ１４へのＥＳＤノイズの伝搬を抑制することができる。
【００５１】
図１０は、ドライバ１４の接続端子１７における電圧値の時間変化の一例を示すグラフ３０である。グラフ３０は、表示パネル１１からＥＳＤノイズを混入させ、ドライバ１４の接続端子１７における電圧値の時間変化を、従来技術による電磁界解析によって計算した計算結果をグラフにしたものである。横軸は時間（ｎｓ）であり、縦軸はドライバ１４の接続端子１７での電圧（Ｖ）である。破線のグラフ３１が表示装置９０についての計算結果を表すグラフであり、実線のグラフ３２が表示装置１についての計算結果を表すグラフである。
【００５２】
グラフ３１およびグラフ３２とも時間の経過とともに変動しているが、グラフ３２の変動の最大値は、グラフ３１に比して３８．７％低くなっている。
【００５３】
このように、表示装置１の構成は、表示装置９０の構成に対して、ドライバ１４へ伝搬するＥＳＤノイズが低減され、さらにドライバ１４の接続端子１７における電圧変動の最大値が抑えられていることから、ドライバ１４の異常の発生を防ぐことができるという効果を奏する。
【００５４】
図１１は、本発明の他の実施形態である表示装置１０１の一部を拡大した図である。表示装置１０１は、図７に示した表示装置９０に、第１接地配線２１を追加した構成である。同じ参照符を付して、重複を避けるために説明は省略する。表示装置１０１について、表示パネル１１からＥＳＤノイズを混入させ、ドライバ１４の接続端子１７における電圧値の時間変化を、従来技術による電磁界解析によって計算した計算結果を求めると、表示装置１０１のドライバ１４の接続端子１７での電圧の最大値は、グラフ３１に比して約１５．０％低減される。
【００５５】
図１２は、本発明のさらに他の実施形態である表示装置１０２の一部を拡大した図である。表示装置１０２は、図７に示した表示装置９０に、第２接地配線２２を追加するとともに、共通電極電圧配線９５を共通電極電圧配線１５に置き換えた構成である。表示装置９０の構成要素と同じ構成要素については、同じ参照符を付して、重複を避けるために説明は省略する。表示装置１０２について、表示パネル１１からＥＳＤノイズを混入させ、ドライバ１４の接続端子１７における電圧値の時間変化を、従来技術による電磁界解析によって計算した計算結果を求めると、表示装置１０２のドライバ１４の接続端子１７での電圧の最大値は、グラフ３１に比して約１４．５％低減される。
【００５６】
このように、表示パネル１１は、複数の画素が形成される。ドライバ１４は、表示パネル１１の各画素を駆動する。予め定める基準電圧が供給される接地電位部が形成されるプリント回路基板１２は、ドライバ１４を制御する。そして、中央部にドライバ１４を搭載し、表示パネル１１とプリント回路基板１２とを接続する可撓性のあるフレキシブル回路基板１３は、プリント回路基板１２から表示パネル１１まで前記各画素へ共通に印加する共通電圧を供給するための第１共通電極電圧配線１５ａと、接地電位部に電気的に接続され、ドライバ１４と第１共通電極電圧配線１５ａとの間の領域に延在する第１接地配線２１とが形成される。したがって、第１共通電極電圧配線１５ａに近接して配置される第１接地配線２１が、第１共通電極電圧配線１５ａに混入した静電気放電ノイズを接地電位部に逃すので、静電気放電対策用の新たな部品を用いることなく、画素を駆動するドライバ１４に伝搬する静電気放電ノイズを低減することができる。
【００５７】
さらに、表示パネル１１は、前記各画素に共通電圧を供給するための共通電極１１３、共通電極１１３と第１共通電極電圧配線１５ａとを電気的に接続する第２共通電極電圧配線１５ｂ、および第２共通電極電圧配線１５ｂに近接して延在する第２隣接配線２２ｂが形成される。そして、フレキシブル回路基板１３は、接地電位部と第２隣接配線２２ｂとを電気的に接続し、第１共通電極電圧配線１５ａに近接して延在する第１隣接配線２２ａが形成される。したがって、第１接地配線２１に加えて、第１共通電極電圧配線１５ａに近接して配置される第１隣接配線２２ａ、および第２共通電極電圧配線１５ｂに近接して配置される第２隣接配線２２ｂが、第１共通電極電圧配線１５ａおよび第２共通電極電圧配線１５ｂに混入した静電気放電ノイズを接地電位部に逃すので、静電気放電対策用の新たな部品を用いることなく、画素を駆動するドライバ１４に伝搬する静電気放電ノイズをさらに低減することができる。
【００５８】
さらに、表示パネル１１は、複数の画素が形成される。ドライバ１４は、表示パネル１１の各画素を駆動する。予め定める基準電圧が供給される接地電位部が形成されるプリント回路基板１２は、ドライバ１４を制御する。中央部にドライバ１４を搭載し、表示パネル１１とプリント回路基板１２とを接続する可撓性のあるフレキシブル回路基板１３は、プリント回路基板１２から表示パネル１１まで前記各画素へ共通に印加する共通電圧を供給する第１共通電極電圧配線１５ａが形成される。さらに、表示パネル１１は、各画素に共通電圧を供給するための共通電極１１３、共通電極１１３と第１共通電極電圧配線１５ａとを電気的に接続する第２共通電極電圧配線１５ｂ、および第２共通電極電圧配線１５ｂに近接して延在する第２隣接配線２２ｂが形成される。そして、フレキシブル回路基板１３は、接地電位部と第２隣接配線２２ｂとを電気的に接続し、第１共通電極電圧配線１５ａに近接して延在する第１隣接配線２２ａが形成される。したがって第１共通電極電圧配線１５ａに近接して配置される第１隣接配線２２ａ、および第２共通電極電圧配線１５ｂに近接して配置される第２隣接配線２２ｂが、第１共通電極電圧配線１５ａおよび第２共通電極電圧配線１５ｂに混入した静電気放電ノイズを接地電位部に逃すので、静電気放電対策用の新たな部品を用いることなく、画素を駆動するドライバ１４に伝搬する静電気放電ノイズを低減することができる。
【００５９】
さらに、フレキシブル回路基板１３は、ドライバ１４と接地電位部とを電気的に接続するプリント接地配線が形成される。そして、第１接地配線２１は、プリント接地配線と離間して形成される。したがって、プリント接地配線は、第１共通電極電圧配線１５ａに流れる静電気放電ノイズに起因する電流の変化の影響を受けることを低減することができる。
【００６０】
さらに、前記予め定める基準電圧は、接地電位であるので、第１共通電極電圧配線１５ａまたは第２共通電極電圧配線１５ｂに混入した静電気放電ノイズを接地電位のアースなどに逃すことができる。
【符号の説明】
【００６１】
１，９０，１０１，１０２  表示装置
１ａ  表示装置１の一部
１１  表示パネル
１２  プリント回路基板
１３  フレキシブル回路基板
１４  ドライバ
１５，９５  共通電極電圧配線
１５ａ  第１共通電極電圧配線
１５ｂ  第２共通電極電圧配線
１６  駆動配線
１７  接続端子
１８  プリント基板接続配線
１９  導通部
２１  第１接地配線
２２  第２接地配線
２２ａ  第１隣接配線
２２ｂ  第２隣接配線
１１１  共通電極側ガラス
１１２  画素電極側ガラス
１１３  共通電極
１１４  画素電極
【図１】
2012042764.tif 000003
【図２】
2012042764.tif 000004
【図３】
2012042764.tif 000005
【図４】
2012042764.tif 000006
【図５】
2012042764.tif 000007
【図６】
2012042764.tif 000008
【図７】
2012042764.tif 000009
【図１０】
2012042764.tif 000010
【図１１】
2012042764.tif 000011
【図１２】
2012042764.tif 000012
【図８】
2012042764.tif 000013
【図９】
2012042764.tif 000014